(57)【要約】【課題】  一般家庭における浴槽水面に浮く垢や毛等の浮遊物を浴槽水面全体にわたり除去する。さらに外部電源を使用せず感電の危険性も無い軽量小型で浴槽水に浮かべるだけで使用できる。【解決手段】  フロート１の下部に充電池を格納する防水電池ボックス２及び水検知スイッチ４を設け、さらに防水電池ボックス２の下部に電動の水中ポンプ５を設ける。水中ポンプの吐水ノズル６は傾斜を付けて水面１３からはみ出さず水柱１１が出来る位置に設ける。吐水ノズル６の先端は水面１３と並行になる形状とし、前記フロート１上部には出し入れ可能なフィルター７を設ける。フィルター７は傾斜を付けた吐水ノズル６の延長線上に設置し、フィルター７を通った水が吐水ノズル６側に対し反対方向に流れる為の傾斜８と水路を設け、さらに側面方向にも水路９を設け、吐水ノズル６方向に流出しない構造とした。【選択図】図２
2010259734.tif 000002
【特許請求の範囲】
【請求項１】
浴槽水の水中から吐水ノズルで水面方向に向かって水を空中に噴出し水柱を作り、噴出した水を水面上に設けたフィルターに通し、水は浴槽水に流すことを特徴とする水面浮遊物誘導除去方法。
【請求項２】
フロートの下部に充電池を格納する防水電池ボックス及び水検知スイッチを設け、防水電池ボックス電池取り出し口のキャップ面は本体を縦置きできるように平面にし面積を大きくする。さらに防水電池ボックスの下部に電動の水中ポンプを設ける。水中ポンプの吐水ノズルは傾斜を付けて水面からはみ出さず水柱が出来る位置に設ける。吐水ノズルの先端は水面と並行になる形状とし、前記フロート上部には出し入れ可能なフィルターを設ける。フィルターは傾斜を付けた吐水ノズルの延長線上に設置し、フィルターを通った水が吐水ノズル側に対し反対方向に流れる為の傾斜と水路を設け、さらに側面方向にも水路を設け、吐水ノズル方向に流出しない構造にし、浴槽水面全体の浮遊物を除去することを特徴とする請求項１の水面浮遊物誘導除去方法を利用した水面噴出誘導型ごみ取り装置。
【発明の詳細な説明】
【技術分野】
【０００１】  本発明は、一般家庭における浴槽水面に浮く垢や毛等の浮遊物を誘導し除去する方法及びこの方法を利用した水面噴出誘導型ごみ取り装置に関するものである。
【背景技術】
【０００２】  従来、水面に浮いたごみを除去する装置は色々と考案されている。例えば特許文献１図１図２に従来例の一つが示されている。このごみとり装置はモーター５に接続されたスクリュー９により発生する水流により本体吸水口４から液面に浮くごみ３と近傍の液が吸引される。吸引された液はフィルター８を通過し装置の外に噴出される。この時ごみ３はフィルター８に捕獲され、ろ過された液のみが噴出される。
【特許文献１】特開平８−１８２６３７号広報
【０００３】  しかしながら、上述した従来の液面のごみとり装置では、モーター５が小型の場合スクリューにより発生できる水流が少ない為ごみとり装置近傍のごみしか吸引できない。また十分な水流を確保する為大型のモーター５にした場合は外部電源に頼るしかなくなり装置自体も大型化し、浴槽で使用する場合は配線が浴室内を通ることになり、感電の危険性も出てくる。
【発明の概要】
【発明が解決しようとする課題】
【０００４】  本発明は、水面に浮いた浮遊物を除去する場合に、装置近傍の浮遊物除去だけでなく浴槽水面全体の浮遊物を除去することを目的とし、さらに外部電源を使用せず感電の危険性も無い軽量小型で浴槽水に浮かべるだけで使用できる水面噴出誘導型ごみ取り装置を提供することを目的とするものである。
【課題を解決するための手段】
【０００５】  本発明は、浴槽水内の水中から吐水ノズルで水面方向に向かって水を空中に噴出し水柱を作ることにより水面の浮遊物が噴出方向に移動し、さらに噴出させた水を浴槽水内に流すことにより水流を発生させ浴槽水面全体の浮遊物を噴出箇所に誘導する。そして噴出した水に浮遊物は巻き込まれる。その水をフィルターに通し浮遊物を除去することで浴槽水面全体の浮遊物を除去することを特徴とする方法で上記課題を解決する。【０００６】また、本発明の水面噴出誘導型ごみ取り装置は上記課題を解決するために、フロートの下部に充電池を格納する防水電池ボックス及び水検知スイッチを設け、防水電池ボックス電池取り出し口のキャップ面は本体を縦置きできるように平面にし面積を大きくする。さらに防水電池ボックスの下部に電動の水中ポンプを設ける。水中ポンプは市販の充電池で駆動できるものを使用する。水中ポンプの吐水ノズルは傾斜を付けて水面からはみ出さず水柱が出来る位置に設ける。吐水ノズルの先端は水面と並行になる形状とし、フロート上部には出し入れ可能なフィルターを設ける。フィルターは傾斜を付けた吐水ノズルの延長線上に設置し、フィルターを通った水が吐水ノズル側に対し反対方向に流れる為の傾斜と水路を設け、さらに側面方向にも水路を設け、吐水ノズル方向に流出しない構造にする。装置本体を浴槽水に浮かべたとき水検知スイッチが入り水中ポンプが駆動することを特徴とする水面噴出誘導型ごみ取り装置の構成とした。
【発明の効果】
【０００７】  本発明は、請求項１記載の発明により小電力で浴槽水面全体の浮遊物を除去することが可能である。【０００８】  また、請求項２記載の発明により軽量小型に出来るので入浴中にも使用できる。また使用する時は水面に浮かせると電源が入り、使用しない時は水面から出すことにより電源は切れるため電源スイッチの操作も不要である。さらに電源は市販されている充電池を採用することで繰り返し使えるため経済的であり、外部電源用配線を浴室内に通す必要がなく感電の危険性も無くなる。さらに未使用時には縦置きにすることにより水中ポンプ内の水は下に流れ落ちる構造のため乾燥させやすく衛生的である。
【図面の簡単な説明】
【０００９】
【図１】本発明である水面噴出誘導型ごみ取り装置の実施例の正面図である。
【図２】本発明である水面噴出誘導型ごみ取り装置の実施例の右側面図である。
【図３】本発明である水面噴出誘導型ごみ取り装置の実施例の上面図である。
【発明を実施するための形態】
【実施例】
【００１０】  以下、本発明に係る水面噴出誘導型ごみ取り装置の好ましい実施の形態を、添付した図面について具体的に説明する。図１は本発明の実施例の正面図、また、図２は実施例の右側面図、図３は実施例の上面図である。【００１１】  各図において、水面噴出誘導型ごみ取り装置のフロート１は、例えば合成樹脂を中空成型で形成し、その上部にフィルター７を出し入れ可能な溝１４を形成している。フィルター７のメンテナンス性を良くする目的である。また、傾斜８と側面水路９及び遮蔽板１０を形成している。傾斜８は噴出した水を浴槽水内に流すためである。側面水路９は浴槽側面に本体側面を吸着させるためとその反対側面水路９は本体側面に浮遊物が付着するのを防止するためである。遮蔽板１０は噴出した水柱１１が吐水ノズル６側に流出するのを防止するためである。【００１２】  次に、フロート１の下部には充電池を格納する防水電池ボックス２及び電池取り出し口のキャップ３及び水検知スイッチ４とマグネット内臓フロート１５を設けている。キャップ３の端面は本体を縦置きできるように平面にし面積を大きくしている。水検知スイッチ４は、例えばリードスイッチを使用する。本体を水面に浮かべるとマグネット内臓フロート１５が浮き上がり、水検知スイッチ４がＯＮし、水中ポンプ５が起動する。【００１３】  次に、防水電池ボックス２の下部に電動の水中ポンプ５及びバランサー１２を設ける。水中ポンプ５の吐出口から成る吐水ノズル６は傾斜を付けて水面１３からはみ出さず水柱１１が出来る位置に設ける。吐水ノズル６の先端形状は水面１３と並行になる形状とすることで水柱１１と傾斜方向の水面１３間に水の膜が出来にくくするためである。また、バランサー１２は本体を水に浮かべた時に水平を保つためである。例えばステンレス材で形成し、外周はＲ形状でバリが無い状態である。【００１４】次に、フィルター７は、例えばフィルター面は細目のネットを採用し袋状に形成することで、例えば浴槽内水面１３が波打っても除去された浮遊物が浴槽内に再度流れ出すことを防止するためである。【００１５】  なお、本発明は上述の発明を実施するための最良の形態に限らず本発明の要旨を逸脱することなくその他種々の構成を採り得ることはもちろんである。
【産業上の利用可能性】
【００１６】  浴槽水以外の水面上の浮遊物を除去または分離することに利用出来る。
【符号の説明】
【００１７】１  フロート
２  防水電池ボックス
３  電池取り出し口のキャップ
４  水検知スイッチ
５  水中ポンプ
６  吐水ノズル
７  フィルター
８  傾斜
９  側面水路
１０  遮蔽板
１１  水柱
１２  バランサー
１３  水面
１４  溝
１５  マグネット内臓フロート
【図１】
2010259734.tif 000003
【図２】
2010259734.tif 000004
【図３】
2010259734.tif 000005